(57)【要約】【課題】冷蔵庫の仕切壁前板の導通性を容易に確保する構造を提案することである。【解決手段】断熱箱体を形成する外箱と、前記外箱内に形成されて貯蔵室を区画する断熱仕切壁部と、前記断熱仕切壁部の前側に設けられた鉄製の前板と、を有する冷蔵庫において、前記外箱と前記前板とを締結するねじの頭部裏側に、放射状の山部を設けた。このように、前板を箱体と締結させるねじの裏に削り部を形成することにより、組立時に設置面が削れて容易に導通させることができる。【選択図】図７
2020034169.tif 000002
【特許請求の範囲】
【請求項１】
断熱箱体を形成する外箱と、前記外箱内に形成されて貯蔵室を区画する断熱仕切壁部と、前記断熱仕切壁部の前側に設けられた鉄製の前板と、を有する冷蔵庫において、
前記外箱と前記前板とを締結するねじの頭部裏側に、放射状の山部を有することを特徴とする冷蔵庫。
【請求項２】
請求項１に記載の冷蔵庫において、
前記ねじの頭部裏側の外周方向端部に平面部を有することを特徴とする冷蔵庫。
【請求項３】
請求項１または２に記載の冷蔵庫において、
前記山部によって、周方向に急傾斜部と緩傾斜部とが交互に複数形成され、
前記ねじの締め付け側に急傾斜部が位置することを特徴とする冷蔵庫。
【発明の詳細な説明】
【技術分野】
【０００１】
本発明は冷蔵庫に係り、特に食品収納部を分割する仕切壁を備えた冷蔵庫に関するものである。
【背景技術】
【０００２】
最近の冷蔵庫では、冷蔵庫を構成する箱体内部の上部に冷蔵室、中間部に冷凍室、下部に野菜室を配置し、それぞれの貯蔵室同士は熱の移動が少ないように断熱仕切壁部により区画されている。つまり、冷凍室と隣接する冷蔵室や野菜室に冷凍室の冷熱が流入しないように、冷凍室と隣接する冷蔵室や野菜室は真空断熱材やポリウレタンフォームが配置された断熱仕切壁部によって区画されている。
【０００３】
この断熱材の前側には断熱仕切壁部を形成する前板が設けられており、冷気が外部に漏れるのを防ぐために貯蔵扉に設けられたパッキングと磁気的に密着するように鉄板から構成されている。また貯蔵室扉のパッキングには、鉄板よりなる前板に密着するように磁石が備え付けられている。この前板のアース導通性の確保のため、従来の冷蔵庫では前板の裏に配置している結露抑制パイプを、そのパイプの裏に弾性シートを設けて押し付けることによって、パイプを前板に接触させる、または前板と冷蔵庫箱体外壁鉄板を締結させる際にねじを用いて前板の母材破壊と外壁鉄板の塗装面を削り表面破壊することで導通させる、などを行っていた。
【発明の概要】
【発明が解決しようとする課題】
【０００４】
しかしながら上記のような構成では、導通性を容易に確保することが難しいという問題があった。結露防止パイプを前板に接触させる方式では、接触しているかどうかの確認がし難く、確実に導通させるためにさらに部材を足すなどコスト増大の可能性がある。また締結ねじによる方式では、通常のねじ用いた場合外壁鉄板の塗装表面が破壊されない可能性があり、またねじ自体によって破壊部分が隠れるため破壊の有無を確認することが難しい。
【０００５】
本発明は上記の課題を解決するものであり、その目的は前板の導通性を容易に確保した冷蔵庫を提案する事である。
【課題を解決するための手段】
【０００６】
本発明の第１の特徴は、断熱箱体を形成する外箱と、前記外箱内に形成されて貯蔵室を区画する断熱仕切壁部と、前記断熱仕切壁部の前側に設けられた鉄製の前板と、を有する冷蔵庫において、前記外箱と前記前板とを締結するねじの頭部裏側に、放射状の山部を有する、ところにある。
【発明の効果】
【０００７】
本発明によれば、前板の導通性を容易に確保した冷蔵庫を提案する事ができる。
【図面の簡単な説明】
【０００８】
【図１】本発明が適用される冷蔵庫の正面外観図である。
【図２】図１に示す冷蔵庫の縦断面を示す縦断面図である。
【図３】冷蔵庫の凝縮パイプ及び結露抑制パイプの配置を説明する説明図である。
【図４】断熱仕切壁部の断面を示す断面図である。
【図５】下側断熱仕切壁部付近の構成を示す図である。
【図６】前板と冷蔵庫外箱締結部の断面を示す横断面図である。
【図７】本発明を構成するねじを示す斜視図である。
【発明を実施するための形態】
【０００９】
以下、本発明の実施形態について図面を用いて詳細に説明するが、本発明は以下の実施形態に限定されることなく、本発明の技術的な概念の中で種々の変形例や応用例をもその範囲に含むものである。
【００１０】
本発明の具体的な実施例を説明する前に、本発明が適用される冷蔵庫の構成を図１及び図２に基づいて説明する。図１は冷蔵庫の正面外観図であり、図２は図１の縦断面を示す断面図である。尚、図２においては製氷室の断面は示されていない。
【００１１】
図１、及び図２において、冷蔵庫１は、上方から冷蔵室２、製氷室３及び上部冷凍室４、下部冷凍室５、野菜室６を有する。ここで、製氷室３と上部冷凍室４は、冷蔵室２と下部冷凍室５との間に左右に並べて設けている。尚、上部冷凍室４は下部冷凍室５より容積が小さく形成されており、少量の食品が冷凍、貯蔵されるものである。そして、各貯蔵室の温度は、一例として、冷蔵室２はおよそ＋３℃、野菜室６はおよそ＋３℃〜＋７℃の冷蔵温度帯の貯蔵室である。また、製氷室３、上部冷凍室４及び下部冷凍室５は、およそ−１８℃の冷凍温度帯の貯蔵室である。
【００１２】
冷蔵室２は前方側に、左右に分割された観音開き式（いわゆるフレンチ型）の冷蔵室扉（貯蔵室扉）２ａ、２ｂを備えている。製氷室３、上部冷凍室４、下部冷凍室５、野菜室６は夫々引き出し式の製氷室扉３ａ、上部冷凍室扉４ａ、下部冷凍室扉５ａ、野菜室扉６ａを備えている。
【００１３】
また、各扉の貯蔵室の前面開口部に向かい合う側の面には、各扉の外縁に沿うように磁石が内蔵されたパッキング（図示せず）を設けており、各扉の閉鎖時、鉄板で形成された冷蔵庫外箱４９のフランジや後述の前板に密着し、貯蔵室内への外気の侵入、及び貯蔵室からの冷気の漏れを抑制する構成とされている。
【００１４】
ここで、図２に示すように冷蔵庫本体８の下部には機械室９が形成され、この中に圧縮機１０が内蔵されている。冷却器収納室１１と機械室１０には水抜き通路１２によって連通され、冷却器２６の除霜水が排出できるようになっている。
【００１５】
図２に示すように、冷蔵庫本体８の庫外と庫内は、内箱と外箱との間に発泡断熱材（発泡ポリウレタン）を充填することにより形成される断熱箱体１３により隔てられている。また冷蔵庫本体８の断熱箱体１３は複数の真空断熱材１４を実装している。冷蔵庫本体８は、上側断熱仕切壁部１５により冷蔵室２と上部冷凍室４及び製氷室３（図１参照、図２中で製氷室３は図示されていない）とが区画され、下側断熱仕切壁部１６により下部冷凍室５と野菜室６とが区画されている。
【００１６】
冷蔵室２の最下端で上側断熱仕切壁部１５の上面には減圧貯蔵室１７が形成されており、この減圧貯蔵室１７内の食品を取り出すために減圧貯蔵室扉を引き出す時に大気圧に戻され、減圧貯蔵室扉を元に戻すと真空ポンプが作動して減圧貯蔵室１７を減圧するものである。また、下部冷凍室５の上部には横仕切部３９を設けている。横仕切部３９は、製氷室３及び上部冷凍室４と下部冷凍室５とを上下方向に仕切っている。また、横仕切部３９の上部には、製氷室３と上部冷凍室４との間を左右方向に仕切る縦仕切部を設けている。
【００１７】
横仕切部３９は、下側断熱仕切壁部１６の前面及び左右側壁前面と共に、下部冷凍室扉５ａの貯蔵室側の面に設けたパッキング（図示せず）と接触する。製氷室扉３ａと上部冷凍室扉４ａの貯蔵室側の面に設けたパッキング（図示せず）は、横仕切部３９、縦仕切部、上側断熱仕切壁部１５及び冷蔵庫本体８の左右側壁前面と接することで、各貯蔵室と各扉との間での冷気の移動をそれぞれ抑制している。
【００１８】
図２に示すように、上部冷凍室４、下部冷凍室５及び野菜室６は、それぞれの貯蔵室の前方に備えられた扉４ａ、５ａ、６ａが取り付けられている。また、上部冷凍室４には上部冷凍貯蔵容器１８が収納、配置され、下部冷凍室５には上段冷凍貯蔵容器１９、下段冷凍貯蔵容器２０が収納、配置されている。更に、野菜室６には上段野菜貯蔵容器２１、下段野菜貯蔵容器２２が収納、配置されている。
【００１９】
そして、製氷室扉３ａ、上部冷凍室扉４ａ、下部冷凍室扉５ａ及び野菜室扉６ａは、それぞれ図示しない取手部に手を掛けて手前側に引き出すことにより、製氷貯蔵容器３ｂ（図示せず）、上部冷凍貯蔵容器１８、下段冷凍貯蔵容器２０、下段野菜貯蔵容器２２が引き出せるようになっている。
【００２０】
詳しくは、下段冷凍貯蔵容器２０は冷凍室扉内壁に取り付けられた支持アーム２３に下段冷凍貯蔵容器２０の側面上部のフランジ部が懸架されており、冷凍室扉５ａを引き出すと同時に下段冷凍貯蔵容器２０のみが引き出される。上段冷凍貯蔵容器１９は冷凍室５の側面壁に形成された凹凸部（図示しない）に載置されており前後方向にスライド可能になっている。
【００２１】
下段野菜貯蔵容器２２も同様にフランジ部が野菜室扉６ａの内壁に取り付けられた支持アーム２４に懸架され、上段野菜貯蔵容器２１は野菜室側面壁の凹凸部に載置されている。また、この野菜室６には断熱箱体１３に固定された電熱ヒータ６ｃが設けられており、この電熱ヒータ６ｃによって野菜室６が冷やし過ぎにならないように、野菜の貯蔵に適した温度になるようにしている。尚、この電熱ヒータ６ｃは必要に応じて設けられれば良いものである。
【００２２】
次に冷蔵庫の冷却方法について説明する。冷蔵庫本体１には冷却器収納室１１が形成され、この中に冷却手段として冷却器２６を備えている。冷却器２６（一例として、フィンチューブ熱交換器）は、下部冷凍室５の背部に備えられた冷却器収納室１１内に設けられている。また、冷却器収納室１１内であって冷却器２６の上方には送風手段として送風ファン２７（一例として、プロペラファン）が設けられている。
【００２３】
冷却器２６で熱交換して冷やされた空気（以下、冷却器２６で熱交換した低温の空気を「冷気」と称する）は、送風ファン２７によって冷蔵室送風ダクト２８、冷凍室送風ダクト２９、及び図示しない製氷室送風ダクトを介して、冷蔵室２、製氷室３、上部冷凍室４、下部冷凍室５、野菜室６の各貯蔵室へそれぞれ送られる。
【００２４】
各貯蔵室への送風は、冷蔵温度帯の冷蔵室２への送風量を制御する冷蔵室ダンパ３０と、冷凍温度帯の冷凍室４、５への送風量を制御する冷凍室ダンパ３１とにより制御される。ちなみに、冷蔵室２、製氷室３、上部冷凍室４、下部冷凍室５、及び野菜室６への各送風ダクトは、冷蔵庫本体８の各貯蔵室の背面側に設けられている。具体的には、冷蔵室ダンパ３０が開状態、冷凍室ダンパ３１が閉状態のときには、冷気は、冷蔵室送風ダクト２８を経て多段に設けられた吹き出し口３２から冷蔵室２に送られる。
【００２５】
また、冷蔵室２を冷却した冷気は、冷蔵室２の下部に設けられた冷蔵室戻り口から冷蔵室−野菜室連通ダクトを経て、下側断熱仕切壁部１６の下部右奥側に設けた野菜室吹き出し口から野菜室６へ送風される。野菜室６からの戻り冷気は、下側断熱仕切壁部１６の下部前方に設けられた野菜室戻りダクト入口から野菜室戻りダクト３３を経て、野菜室戻りダクト出口から冷却器収納室１３の下部に戻る。
【００２６】
図２に示すように、冷却器収納室１１の前方には、各貯蔵室と冷却器収納室１１との間を仕切る仕切部材３４が設けられている。仕切部材３４には、上下に一対の吹き出し口が形成されており、冷凍室ダンパ３１が開状態のとき、冷却器２６で熱交換された冷気が送風ファン２７により、図示を省略した製氷室送風ダクトや上段冷凍室送風ダクトを経て吹き出し口３５からそれぞれ製氷室３、上部冷凍室４へ送風される。また、下段冷凍室送風ダクトを経て吹き出し口３６から下部冷凍室５へ送風される。
【００２７】
また、冷蔵庫本体８の天井壁上面側にＣＰＵ、ＲＯＭやＲＡＭ等のメモリ、インターフェース回路等を搭載した制御装置（図示せず）が設けられており、外気温度センサー（図示せず）、外気湿度センサー（図示せず）、冷却器温度センサー（図示せず）、冷蔵室温度センサー（図示せず）、野菜室温度センサー（図示せず）、冷凍室温度センサー（図示せず）、扉２ａ、２ｂ、３ａ、４ａ、５ａ、６ａの各扉の開閉状態をそれぞれ検知する扉センサー（図示せず）、冷蔵室２内壁に設けられた図示しない温度設定器等と接続されている。
【００２８】
そして、ＲＯＭに予め搭載されたプログラムにより、圧縮機１０のＯＮ、ＯＦＦ等の制御、冷蔵室ダンパ３０及び冷凍室ダンパ３１を個別に駆動するそれぞれのアクチュエータの制御、送風ファン２７のＯＮ／ＯＦＦ制御や回転速度制御、扉開放状態を報知するアラームのＯＮ／ＯＦＦ制御等を行うようになっている。
【００２９】
冷蔵室扉２ａ、２ｂ、製氷室扉３ａ、上部冷凍室扉４ａ、下部冷凍室扉５ａ及び野菜室扉６ａが接する断熱箱体１３の断熱仕切壁部１５、１６、横仕切部３９の前方端部には、それぞれ鉄板で作られた前板４０ａ、４０ｂ、４０ｃを設けてある。また、冷蔵庫１の底面部に設けた断熱仕切壁部４１の前方にも、前板４０ｄを設けている。なお、断熱箱体１３のうち、冷蔵室扉２ａ、２ｂ、製氷室扉３ａ、上部冷凍室扉４ａ、下部冷凍室扉５ａ及び野菜室扉６ａが閉状態で接する箇所を開口縁と称し、前板４０ａ、４０ｂ、４０ｃ、４０ｄはこの開口縁に設けられている。
【００３０】
製氷室扉３ａ、上部冷凍室扉４ａ、下部冷凍室扉５ａ及び野菜室扉６ａを開くと、庫外の空気が開口に接触するため結露が生じるおそれがある。このため、これらの扉近くの開口には、冷媒が流れる結露抑制パイプを設けている。結露抑制パイプに高温冷媒を供給することで、開口縁の結露を抑制できる。結露抑制パイプは、前板４０ａ、４０ｂ、４０ｃで覆われている。この結露抑制パイプの構成は図４に示している通りである。
【００３１】
図３は冷蔵庫１に設けた凝縮パイプの配置を示す図である。凝縮パイプとしては、例えば断熱箱体１３の表面近傍に配した冷媒が流れる配管を採用できる。第１の凝縮パイプ４２は、冷蔵庫１の背面側下部に設けた機械室９内に設置してある。この第１の凝縮パイプ４２は、機械室９内に設けた機械室冷却ファン（図示せず）によって冷却されている。
【００３２】
第２の凝縮パイプ４３と第３の凝縮パイプ４４は冷蔵庫１の側面断熱壁内に埋設している。結露抑制パイプ４５は、開口縁の一部又は全部に配設されている。第２の凝縮パイプ４３、第３の凝縮パイプ４４は、冷蔵庫１の側面に代えて天面や背面に沿って配置してもよい。また、第１の凝縮パイプ４２、第２の凝縮パイプ４３及び第３の凝縮パイプ４４を全部備えることが好ましいが、何れか一つ以上を備えていれば良いものである。
【００３３】
結露抑制パイプ４５は、野菜室６付近（領域Ａ）、下部冷凍室５の中間（領域Ｂ）、上部冷凍室４の上部付近（領域Ｃ）に設けられており、高温の冷媒からの放熱によって開口縁を加熱している。この結露抑制パイプ４５の端部は、冷媒が流れる配管が開口縁から離間する部分と考えてもよい。
【００３４】
図３では、冷媒が機械室９側から野菜室６下方の開口縁に向かって流れ、冷凍室７の開口縁を経た後に、下部冷凍室５及び野菜室６側方の開口縁を経てから機械室９側へ向かって流れる場合を例示している。この場合、結露抑制パイプ４５は、後述するパイプ４６から野菜室６下方の開口縁に至った点ｄを一端と、野菜室６側方の開口縁からパイプ４７を経て流路切換弁（図示せず）へ向かい始める点ｆを他端と考えることができる。
【００３５】
結露抑制パイプ４５は、冷凍室扉３ａ、４ａ、５ａに接する開口縁を含んで設けているが、野菜室６の野菜室扉６ａに接する開口縁や観音式の冷蔵室の扉２ａ、２ｂに接する開口縁を含んで設けても良い。なお、冷蔵庫１の冷蔵室や冷凍室の室数は特に限定されないものであり、また、各貯蔵室の扉タイプは引き出し式と観音式の何れでも良いものである。
【００３６】
図４は開口縁の一例であり、上側断熱仕切壁部１５、横仕切部３９、下側断熱仕切壁部１６の断面図である。冷蔵室扉２ａ、２ｂ、製氷室扉３ａ、上部冷凍室扉４ａ、下部冷凍室扉５ａが接する又は近傍に位置する前板４０ａ、４０ｂ、４０ｃと接触するように、結露抑制パイプ４５を設けている。上側断熱仕切壁部１５、横仕切部３９、下側断熱仕切壁部１６の内部には、発泡断熱材６９が充填されている。同様に、上側断熱仕切壁部１５、横仕切部３９、下側断熱仕切壁部１６と前板４０ａ、４０ｂ、４０ｃと協働して形成された空間にも発泡断熱材６９が充填されており、この内部に結露抑制パイプ４５が設けられている。各前板４０ａ、４０ｂ、４０ｃ、発泡断熱材６９、結露抑制パイプ４５によって、扉仕切部６８が形成されている。
【００３７】
結露抑制パイプ４５に高温の冷媒を流すと、冷媒の熱により各前板４０ａ、４０ｂ、４０ｃを加熱して結露を抑制できる。また、上側断熱仕切壁部１５、横仕切部３９、断熱仕切壁１６と同様に、野菜室扉６ａが接する又は近傍に位置する断熱仕切壁部４１の前板４０ｄにも、結露抑制パイプ４５を配設している。
【００３８】
次に本発明の実施形態について説明する。
【００３９】
以下に説明する実施形態は、冷蔵庫の仕切り壁前面鉄板の導通性を容易に確保する構造を提案するものである。
【００４０】
図５においては、下側断熱仕切壁部１６付近の構成を示している。下側断熱仕切壁部１６の上側には冷凍室７が形成され、下側には野菜室６が形成されている。そして、下側断熱仕切壁部１６の前側に扉仕切部を構成する前板４０ｃが固定されており、この前板に下部冷凍室扉５ａ、野菜室扉６ａが密着して閉じられるものである。
【００４１】
図６は、前板４０ｃと冷蔵庫外箱４９の締結部を示している。図６にある通り、前板４０ｃはねじ５０を用いて冷蔵庫外箱４９に締結している。また、冷蔵庫外箱４９表面には塗装が施されている。
【００４２】
図７は、ねじ５０を示している。図７にある通り、ねじ５０頭部の裏には中心から外周方向に向けて放射状の山部５０１を有し、この山部５０１によって周方向に急傾斜部５０１ａと緩傾斜部５０１ｂとが交互に複数形成されている。
【００４３】
また、この山部５０１は、ねじの締め付け方向側（図７の矢印Ｘの先端側）に急傾斜部５０１ａが設けられており、これによってねじ締め付け時に冷蔵庫外箱表面の塗装を特に容易に削ることができ、前板の導通性を確保する事が可能となる。
【００４４】
また、図７にある通り、ねじ頭部裏の外周方向端部には前述の山部５０１を設けていない平面部５０２を有しており、これによってねじ取り付け時に生じる冷蔵庫外箱４９表面の削り痕が露見することを防ぎ、意匠性の低下を防ぐ事が可能となる。
【００４５】
尚、本発明は上記した実施例に限定されるものではなく、様々な変形例が含まれる。例えば、上記した実施例は本発明を分かりやすく説明するために詳細に説明したものであり、必ずしも説明した全ての構成を備えるものに限定されるものではない。また、ある実施例の構成の一部を他の実施例の構成に置き換えることが可能であり、また、ある実施例の構成に他の実施例の構成を加えることも可能である。
【符号の説明】
【００４６】
２…冷蔵室、２ａ、２ｂ…冷蔵室扉、３…製氷室、３ａ…製氷室扉、４…上部冷凍室、４ａ…上部位冷凍室扉、５…下部冷凍室、５ａ…下部位冷凍室扉、６…野菜室、６ａ…野菜室扉、１５…上側断熱仕切壁部、１６…下側断熱仕切壁部、４０ａ、４０ｂ、４０ｃ…前板、４９…冷蔵庫外箱、５０…ねじ、５０１…山部、５０１ａ…急傾斜部、５０１ｂ…緩傾斜部、５０２…平面部
【図１】
2020034169.tif 000003
【図２】
2020034169.tif 000004
【図３】
2020034169.tif 000005
【図４】
2020034169.tif 000006
【図５】
2020034169.tif 000007
【図６】
2020034169.tif 000008
【図７】
2020034169.tif 000009